(57)【要約】【課題】ユーザビリティを向上した情報提供システムおよび情報提供方法を提供する。【解決手段】所定の情報提供対象エリアに設置され、情報提供対象エリアに居る利用者に向けて操作部を含む情報を表示する表示機能と、利用者による操作部への所定の操作入力を受け付ける操作機能とを有する表示装置１２と、この表示装置１２の周辺の利用者を含む３次元形状データを取得する３次元センサ１４と、取得した３次元形状データに基づいて利用者の属性を判別する利用者属性判別手段１６と、取得した３次元形状データに基づいて利用者と表示装置１２の位置関係を求める位置関係取得手段１８と、位置関係と利用者の属性に対応した位置に操作部を表示させる一方で、位置関係と利用者の属性に対応した情報コンテンツを表示装置１２に表示させる制御手段２０とを備えるようにする。【選択図】図１
2020035096.tif 000002
【特許請求の範囲】
【請求項１】
所定の情報提供対象エリアに設置され、情報提供対象エリアに居る利用者に向けて操作部を含む情報を表示する表示機能と、利用者による操作部への所定の操作入力を受け付ける操作機能とを有する表示装置と、この表示装置の周辺の利用者を含む３次元形状データを取得する３次元センサと、取得した３次元形状データに基づいて利用者の属性を判別する利用者属性判別手段と、取得した３次元形状データに基づいて利用者と表示装置の位置関係を求める位置関係取得手段と、位置関係と利用者の属性に対応した位置に操作部を表示させる一方で、位置関係と利用者の属性に対応した情報コンテンツを表示装置に表示させる制御手段とを備えることを特徴とする情報提供システム。
【請求項２】
所定の情報提供対象エリアに設置され、情報提供対象エリアに居る利用者に向けて操作部を含む情報を表示する表示機能と、利用者による操作部への所定の操作入力を受け付ける操作機能とを有する表示装置の周辺の利用者を含む３次元形状データを取得する３次元形状データ取得ステップと、取得した３次元形状データに基づいて利用者の属性を判別する利用者属性判別ステップと、取得した３次元形状データに基づいて利用者と表示装置の位置関係を求める位置関係取得ステップと、位置関係と利用者の属性に対応した位置に操作部を表示させる一方で、位置関係と利用者の属性に対応した情報コンテンツを表示装置に表示させる制御ステップとを備えることを特徴とする情報提供方法。
【発明の詳細な説明】
【技術分野】
【０００１】
本発明は、例えば地図情報の提供や広告等を目的としてショッピングエリアなどに設置されるデジタルサイネージやタッチパネルなどの情報提供システムおよび情報提供方法に関するものである。
【背景技術】
【０００２】
従来、利用者属性を判別するシステムとして、監視カメラの映像より歩行支援が必要な人を判別できる歩行支援システム（例えば、特許文献１を参照）や、ステレオカメラで得た３次元距離情報を基にした車イス利用者検出システム（例えば、特許文献２を参照）などが知られている。
【０００３】
また、属性に応じたコンテンツを提供するサイネージ等の情報提供装置として、カメラ画像から人物属性を推定し、個別最適化した表示応答を行うサイネージ（例えば、特許文献３を参照）や、乗客の身長を検出し、ボタンの表示位置を変更するエレベータ操作パネル（例えば、特許文献４を参照）が知られている。また、タッチ時の利用者の頭部の位置を検出し、提供する情報内容を大人用と子供用とに切り替えられるタッチパネルディスプレイや、利用者の頭部の位置とディスプレイとの距離（の変化）から車イス利用者や弱視者の判断を行い、それぞれに合わせた情報提供を行うタッチパネルディスプレイが知られている（例えば、特許文献５を参照）。
【先行技術文献】
【特許文献】
【０００４】
【特許文献１】特許第３６９７６３２号公報
【特許文献２】特許第４８１１６５１号公報
【特許文献３】特許第４９５１６５６号公報
【特許文献４】国際公開第ＷＯ０１／０９６２２４号公報
【特許文献５】特許第４８３１０２６号公報
【発明の概要】
【発明が解決しようとする課題】
【０００５】
しかしながら、巨大なモニタを備えたデジタルサイネージの場合、車イス利用者や子供では手が届かない場所に操作したいボタンがにモニタ表示されることがある。これは、従来技術の組合せで解決可能と思われがちであるが、それぞれ下記の問題がある。
【０００６】
特許文献１、３のカメラ映像を用いたシステムでは、プライバシーの問題がある。また、特許文献２のステレオカメラの距離情報を用いたシステムでは、ベビーカー利用者と車イス利用者の判別が困難であるという問題がある。また、特許文献４の身長を測るセンサを用いたシステムでは、車イス利用者と子供との判別ができないという問題がある。また、特許文献５の頭部位置の高さとディスプレイまでの距離から車イス利用者を判別するシステムでは、ディスプレイから離れた位置にいる子供との誤認識が発生するという問題がある。
【０００７】
本発明は、上記に鑑みてなされたものであって、ユーザビリティを向上した情報提供システムおよび情報提供方法を提供することを目的とする。
【課題を解決するための手段】
【０００８】
上記した課題を解決し、目的を達成するために、本発明に係る情報提供システムは、所定の情報提供対象エリアに設置され、情報提供対象エリアに居る利用者に向けて操作部を含む情報を表示する表示機能と、利用者による操作部への所定の操作入力を受け付ける操作機能とを有する表示装置と、この表示装置の周辺の利用者を含む３次元形状データを取得する３次元センサと、取得した３次元形状データに基づいて利用者の属性を判別する利用者属性判別手段と、取得した３次元形状データに基づいて利用者と表示装置の位置関係を求める位置関係取得手段と、位置関係と利用者の属性に対応した位置に操作部を表示させる一方で、位置関係と利用者の属性に対応した情報コンテンツを表示装置に表示させる制御手段とを備えることを特徴とする。
【０００９】
また、本発明に係る情報提供方法は、所定の情報提供対象エリアに設置され、情報提供対象エリアに居る利用者に向けて操作部を含む情報を表示する表示機能と、利用者による操作部への所定の操作入力を受け付ける操作機能とを有する表示装置の周辺の利用者を含む３次元形状データを取得する３次元形状データ取得ステップと、取得した３次元形状データに基づいて利用者の属性を判別する利用者属性判別ステップと、取得した３次元形状データに基づいて利用者と表示装置の位置関係を求める位置関係取得ステップと、位置関係と利用者の属性に対応した位置に操作部を表示させる一方で、位置関係と利用者の属性に対応した情報コンテンツを表示装置に表示させる制御ステップとを備えることを特徴とする。
【発明の効果】
【００１０】
本発明に係る情報提供システムによれば、所定の情報提供対象エリアに設置され、情報提供対象エリアに居る利用者に向けて操作部を含む情報を表示する表示機能と、利用者による操作部への所定の操作入力を受け付ける操作機能とを有する表示装置と、この表示装置の周辺の利用者を含む３次元形状データを取得する３次元センサと、取得した３次元形状データに基づいて利用者の属性を判別する利用者属性判別手段と、取得した３次元形状データに基づいて利用者と表示装置の位置関係を求める位置関係取得手段と、位置関係と利用者の属性に対応した位置に操作部を表示させる一方で、位置関係と利用者の属性に対応した情報コンテンツを表示装置に表示させる制御手段とを備えるので、ユーザビリティを向上した情報提供システムを提供することができるという効果を奏する。
【００１１】
また、本発明に係る情報提供方法によれば、所定の情報提供対象エリアに設置され、情報提供対象エリアに居る利用者に向けて操作部を含む情報を表示する表示機能と、利用者による操作部への所定の操作入力を受け付ける操作機能とを有する表示装置の周辺の利用者を含む３次元形状データを取得する３次元形状データ取得ステップと、取得した３次元形状データに基づいて利用者の属性を判別する利用者属性判別ステップと、取得した３次元形状データに基づいて利用者と表示装置の位置関係を求める位置関係取得ステップと、位置関係と利用者の属性に対応した位置に操作部を表示させる一方で、位置関係と利用者の属性に対応した情報コンテンツを表示装置に表示させる制御ステップとを備えるので、ユーザビリティを向上した情報提供方法を提供することができるという効果を奏する。
【図面の簡単な説明】
【００１２】
【図１】図１は、本発明に係る情報提供システムの実施の形態を示す概略構成図である。
【図２】図２は、本発明に係る情報提供方法の実施の形態を示す概略フロー図である。
【図３】図３は、３次元形状データの取得手順の一例を示す図である。
【図４】図４は、属性の判定手順の一例を示す図である。
【図５】図５は、本発明の実施例１を示す図である。
【図６】図６は、本発明の実施例２を示す図である。
【発明を実施するための形態】
【００１３】
以下に、本発明に係る情報提供システムおよび情報提供方法の実施の形態を図面に基づいて詳細に説明する。なお、この実施の形態によりこの発明が限定されるものではない。
【００１４】
図１に示すように、本実施の形態に係る情報提供システム１０は、サイネージ１２と、３次元センサ１４と、属性判定部１６と、位置関係取得部１８と、表示内容制御部２０とを備える。属性判定部１６、位置関係取得部１８、表示内容制御部２０は、図示しないコンピュータの演算処理機能を利用して構成される。
【００１５】
サイネージ１２は、例えばショッピングエリア（情報提供対象エリア）のフロア上に設置される。このサイネージ１２は、地図情報、発券情報、広告情報等の提供を目的としたタッチパネル式の大型ディスプレイ（表示装置）からなり、設置場所の周辺に居る利用者に向けて操作ボタン（操作部）を含む情報コンテンツをディスプレイ画面上に表示する表示機能と、操作ボタンへの指先などによるタッチ操作入力を受け付ける操作機能とを有する。本実施の形態では、高さ２ｍ、幅１．５ｍ程度の大型ディスプレイ画面を想定しているが、本発明はこれに限るものではない。
【００１６】
３次元センサ１４は、サイネージ１２の周辺の利用者を含む物体表面の３次元形状データを取得するためのものであり、サイネージ１２の近傍（例えば、サイネージ１２の上方近傍）に設けられる。３次元センサ１４としては、例えば、ＬｉＤＡＲ（Laser Imaging Detection and Ranging）センサのようなレーザ光を照射する方式など種々の非接触方式のものが利用可能である。３次元センサ１４による周辺物体の３次元形状データの取得方法としては、周知の方法を使用可能である。このような方法として、例えばレーザ光を照射する方式のセンサを用いる場合、センサから周辺に向けてライン状のレーザ光を照射して、その照射部位における物体表面からの反射光を受光し、受光信号とレーザ光の位置および方向のデータに基づいて、周辺にある物体表面の３次元形状データを取得するという方法がある。
【００１７】
本実施の形態において、利用者を含む物体表面の３次元形状データは、例えば、図３に示すような方法で取得することができる。この方法では、まず、図３（１）に示すように、サイネージ１２の前方周辺に利用者が居ない状態で、予め３次元形状データ（背景３次元形状データ）を取得しておく。次に（２）に示すように、利用者が居る状態で３次元形状データ（計測３次元形状データ）を取得する。次に（３）に示すように、計測３次元形状データから背景３次元形状データを除く処理を行う。このようにすることで、（４）に示すような利用者などの対象物体の３次元形状データを取得することができる。
【００１８】
属性判定部１６は、取得した３次元形状データに基づいて利用者の属性を判定するものである。これは、本発明の利用者属性判別手段として機能する。代表的な利用者の属性としては、大人、子供（例えば、未就学児程度）、車イス利用者、ベビーカー利用者などが挙げられるが、本発明はこれらに限るものではない。
【００１９】
属性判定部１６による利用者属性の判定方法としては、例えば、図４に示すような方法を用いることができる。この方法では、図４に示すように、３次元センサ１４で取得した３次元形状データと、予め用意した属性ごとの形状データモデルとを比較し、最も当てはまりの良いモデルから属性を判定するものである。
【００２０】
図４の例では、利用者の属性を、属性１（大人）、属性２（子供）、属性３（車イス利用者）、属性４（ベビーカー利用者）の４つに区分し、属性ごとに３つの形状データモデルを図示しないデータベースなどに用意した場合を示している。この例では、属性判定部１６は、取得した３次元形状データを各属性の形状データモデルと比較し、属性１（大人）の形状データモデルが３次元形状データに最も当てはまりの良いモデルと判定している。これにより、この形状データモデルを擁する属性１（大人）が利用者の属性として判定される。
【００２１】
なお、比較の結果、属性２（子供）の形状データモデルが３次元形状データに最も当てはまりの良いモデルと判定した場合には、属性２（子供）が利用者の属性として判定されることになる。属性３（車イス利用者）、属性４（ベビーカー利用者）についても同様である。また、図４の例では、属性ごとに３つの形状データモデルを用意した場合を示したが、本発明はこれに限るものではなく、４つ以上の様々な形状データモデルを用意してもよい。
【００２２】
位置関係取得部１８は、取得した３次元形状データに基づいて利用者とサイネージ１２の相対的な位置関係を取得するものである。これは、本発明の位置関係取得手段として機能する。位置関係取得部１８による位置関係の取得方法としては、例えば、３次元センサ１４で取得される周辺の３次元形状データを用いて、３次元センサ１４から利用者およびサイネージ１２までの距離、方向をそれぞれ算出し、この算出結果から利用者とサイネージ１２の相対的な位置関係を取得する方法を用いることができる。
【００２３】
表示内容制御部２０は、サイネージ１２に対して、上記の位置関係と利用者の属性に対応した位置に操作ボタンを表示させる制御を行う一方で、上記の位置関係と利用者の属性に対応した情報コンテンツを表示させる制御を行うものである。表示内容制御部２０は、本発明の制御手段として機能するものであり、図示しないデータベースを有している。このデータベースには、操作ボタンの表示位置情報（操作インターフェース情報）を含む情報コンテンツが、上記の位置関係および利用者の属性と予め紐付けて記録されている。表示内容制御部２０は、上記の位置関係および利用者の属性に対応する情報コンテンツをデータベースから読み出して設定し、これをサイネージ１２に表示させる。
【００２４】
表示内容制御部２０による表示制御の例としては、次のようなものが挙げられる。例えば、利用者の属性が車イス利用者、子供の場合には、サイネージ１２のディスプレイ画面の低い範囲に、操作ボタンなどの操作部を表示させる。また、利用者の属性が子供の場合には、表示する文字にフリガナを付ける。
【００２５】
また、サイネージ１２で提供する情報コンテンツが地図情報で、かつ、利用者の属性が車イス利用者の場合には、多目的トイレのような車イス利用者にとってニーズの高い施設を強調した表示にする。また、ベビーカー利用者の場合には、授乳室のようなベビーカー利用者にとってニーズの高い施設を強調した表示にする。
【００２６】
また、サイネージ１２が自動券売機の機能を有する場合（情報コンテンツが発券情報の場合）、子供に対して、子供料金を選びやすくする表示にする。例えば、サイネージ１２のディスプレイ画面の低い範囲に操作ボタンなどの操作部を表示させたり、子供料金を強調した表示にする。
【００２７】
また、ディスプレイ画面に表示する操作ボタンのタッチ操作可能範囲を、利用者の位置に合わせて配置してもよい。例えば、利用者の位置に近い側にタッチ操作可能範囲を配置すれば、操作ボタンを操作する利用者の利便性が高まり、システムのユーザビリティが向上する。
【００２８】
次に、上記の表示制御の実施例について具体的に説明する。
【００２９】
（実施例１）
本実施例１は、利用者の属性に応じて操作ボタンのタッチ操作可能範囲を変更制御するものである。図５は、本実施例１を示したものである。図５（１）に示すように、利用者の属性が大人１、ベビーカー利用者４と判定された場合には、操作ボタンのタッチ操作可能範囲２２を通常の範囲に設定する。
【００３０】
これに対し、図５（２）に示すように、利用者の属性が子供２、車イス利用者３と判定された場合には、操作ボタンのタッチ操作可能範囲２２を、サイネージ１２のディスプレイ画面の低い範囲（例えば画面の下側など）に設定し、この範囲に操作ボタンを表示させる。このようにする代わりに、通常のタッチ操作可能範囲全体を縮小した範囲をタッチ操作可能範囲２２に設定してもよい。また、操作ボタンのタッチ操作可能範囲２２を利用者の位置に応じた範囲に設定してもよい。例えば、図５（２）のように、利用者の居る位置がサイネージ１２に向かって右の位置と判定された場合には、画面の右下側に設定してもよい。なお、情報コンテンツはタッチ操作可能範囲２２にのみ表示可能としてもよいし、この範囲を超えて表示可能としてもよい。
【００３１】
（実施例２）
本実施例２は、利用者とサイネージ１２の位置関係に応じて操作ボタンのタッチ操作可能範囲を変更制御するものである。図６は、本実施例２を示したものである。図６（１）に示すように、利用者の属性が大人１で、かつ、利用者の居る位置がサイネージ１２に向かって右の位置と判定された場合には、操作ボタンのタッチ操作可能範囲２２を、画面の右上側に設定してもよい。反対に、図６（２）に示すように、利用者の属性が大人１で、かつ、利用者の居る位置がサイネージ１２に向かって左の位置と判定された場合には、操作ボタンのタッチ操作可能範囲２２を、画面の左上側に設定してもよい。
【００３２】
また、図６（３）に示すように、利用者の属性が子供２で、例えば利用者の居る位置がサイネージ１２に向かって左の位置と判定された場合には、操作ボタンのタッチ操作可能範囲２２を、画面の左下側に設定してもよい。なお、情報コンテンツはタッチ操作可能範囲２２にのみ表示可能としてもよいし、この範囲を超えて表示可能としてもよい。
【００３３】
次に、上記のように構成した情報提供システム１０の動作および作用について説明する。
図２に示すように、まず、３次元センサ１４で周辺の３次元形状データを取得し、取得した３次元形状データを用いて利用者の検出と（ステップＳ１）、サイネージ１２の検出を行う（ステップＳ２）。
【００３４】
続いて、例えば上記の図３の方法を利用して、利用者の３次元形状データを取得し（ステップＳ３）、取得した３次元形状データから、属性判定部１６により利用者の属性を判定する（ステップＳ４）。属性の判定には、例えば上記の図４の方法を利用することができる。次に、ステップＳ４とＳ２の結果を用いて、位置関係取得部１８により利用者とサイネージ１２との相対的な位置関係を取得する（ステップＳ５）。
【００３５】
次に、取得した利用者の属性と位置関係から、サイネージ１２のディスプレイ画面における操作ボタンのタッチ操作可能範囲や情報コンテンツの表示範囲を設定する（ステップＳ６）。さらに、利用者の属性から表示する情報コンテンツを選択する（ステップＳ７）。ステップＳ６で設定した範囲に操作ボタン等を表示するとともに、ステップＳ７で選択した情報コンテンツを表示する（ステップＳ８）。これらのステップＳ６〜Ｓ８の制御処理は、表示内容制御部２０が行う。
【００３６】
このように、本実施の形態では、３次元センサ１４を用いて利用者の属性を判別し、さらに、利用者とサイネージ１２の位置関係を双方の形状データ等から取得し、利用者の属性と位置関係に合わせた適切な表示を行うことができる。特に、利用者とサイネージ１２の位置関係に合わせた操作インタフェースを実現することが可能となる。このため、本実施の形態によれば、ユーザビリティを向上した情報提供システムを提供することができる。
【００３７】
また、本実施の形態によれば、必要以上にプライバシー情報を取り扱わない。３次元センサ１４を用いることで、従来の技術では難しかった、車イス利用者とベビーカー利用者の判別も容易である。
【００３８】
上記の実施の形態では、表示装置がサイネージ１２で構成される場合を例にとり説明したが、本発明の表示装置はこれに限るものではなく、表示装置がタッチパネル自体であってもよいし、自動券売機等に備わるタッチパネル式の表示装置であってもよく、いずれの表示装置で構成しても上記と同様の作用効果を奏することができる。
【００３９】
以上説明したように、本発明に係る情報提供システムによれば、所定の情報提供対象エリアに設置され、情報提供対象エリアに居る利用者に向けて操作部を含む情報を表示する表示機能と、利用者による操作部への所定の操作入力を受け付ける操作機能とを有する表示装置と、この表示装置の周辺の利用者を含む３次元形状データを取得する３次元センサと、取得した３次元形状データに基づいて利用者の属性を判別する利用者属性判別手段と、取得した３次元形状データに基づいて利用者と表示装置の位置関係を求める位置関係取得手段と、位置関係と利用者の属性に対応した位置に操作部を表示させる一方で、位置関係と利用者の属性に対応した情報コンテンツを表示装置に表示させる制御手段とを備えるので、ユーザビリティを向上した情報提供システムを提供することができる。
【００４０】
また、本発明に係る情報提供方法によれば、所定の情報提供対象エリアに設置され、情報提供対象エリアに居る利用者に向けて操作部を含む情報を表示する表示機能と、利用者による操作部への所定の操作入力を受け付ける操作機能とを有する表示装置の周辺の利用者を含む３次元形状データを取得する３次元形状データ取得ステップと、取得した３次元形状データに基づいて利用者の属性を判別する利用者属性判別ステップと、取得した３次元形状データに基づいて利用者と表示装置の位置関係を求める位置関係取得ステップと、位置関係と利用者の属性に対応した位置に操作部を表示させる一方で、位置関係と利用者の属性に対応した情報コンテンツを表示装置に表示させる制御ステップとを備えるので、ユーザビリティを向上した情報提供方法を提供することができる。
【産業上の利用可能性】
【００４１】
以上のように、本発明に係る情報提供システムおよび情報提供方法は、例えば地図情報の提供や広告等を目的としてショッピングエリアなどに設置されるデジタルサイネージやタッチパネルなどに有用であり、特に、ユーザビリティを向上するのに適している。
【符号の説明】
【００４２】
１０  情報提供システム
１２  サイネージ（表示装置）
１４  ３次元センサ
１６  属性判定部（利用者属性判別手段）
１８  位置関係取得部（位置関係取得手段）
２０  表示内容制御部（制御手段）
２２  タッチ操作可能範囲
【図１】
2020035096.tif 000003
【図２】
2020035096.tif 000004
【図３】
2020035096.tif 000005
【図４】
2020035096.tif 000006
【図５】
2020035096.tif 000007
【図６】
2020035096.tif 000008